(57)【特許請求の範囲】
【請求項１】
背もたれ部の複数箇所に孔を設け、これらの孔の何れかを選択して、指圧突起を、該背もたれ部の前面側から着脱可能に装着し得るように構成しているものであって、
背もたれ部の平断面が、中央部から左右両縁に向かって前方に湾曲した形状をなすものであり、その背もたれ部に設ける孔に、前後方向を略型抜き方向とするときに抜きテーパとなるようなテーパ面を形成していることを特徴とする椅子。
【請求項２】
指圧突起の付け根側に設けた軸部を、背もたれ部の孔の内縁に接触或いは近接させて挿入するようにしていることを特徴とする請求項１記載の椅子。
【請求項３】
各孔に対して、テーパ面を背もたれ部の前面側及び後面側に設け、そのテーパ面の境界部を背もたれ部の肉厚方向の略中央位置に設定していることを特徴とする請求項１又は２記載の椅子。
【請求項４】
指圧突起の付け根側の軸部に、背もたれ部の孔に係わり合って抜け止めされる関連部を設けていることを特徴とする請求項１、２又は３記載の椅子。
【請求項５】
指圧突起の軸部の長さが、背もたれ部の肉厚寸法以下に設定されていることを特徴とする請求項１、２、３又は４記載の椅子。
【請求項６】
背もたれ部の複数箇所に孔を設け、これらの孔の何れかを選択して、指圧突起を、該背もたれ部の前面側から着脱可能に装着し得るように構成しているものであって、
指圧突起の付け根側の軸部を、指圧突起の突起部の中心に対して偏心させていることを特徴とする椅子。
【請求項７】
指圧突起の先端側の突起部に、偏心位置を示す表示部を設けていることを特徴とする請求項６記載の椅子。
【請求項８】
指圧突起の先端側の突起部に、より突出した突起を形成するキャップを着脱可能に取り付け得るようにしていることを特徴とする請求項１、２、３、４、５、６又は７記載の椅子。
【請求項９】
背もたれ部の複数箇所に孔を設け、これらの孔の何れかを選択して、指圧突起を、該背もたれ部の前面側から着脱可能に装着し得るように構成しているものであって、
指圧突起の付け根側の軸部を、指圧突起の突起部の中心に対して偏心させ、指圧突起の先端側の突起部に、偏心位置を示す表示部を設けているとともに、
指圧突起の先端側の突起部に、より突出した突起を形成するキャップを着脱可能に取り付け得るようにし、
キャップが透明のものであることを特徴とする椅子。
【請求項１０】
背もたれ部の孔が、背骨が当たる位置を避けた左右両側位置に上下方向の列をなして設けてあることを特徴とする請求項１、２、３、４、５、６、７、８又は９記載の椅子。
【発明の詳細な説明】
【０００１】
【発明の属する技術分野】
本発明は、広く一般に適用されて人々の健康の保持、増進に役立つ椅子に関するものである。
【０００２】
【従来の技術】
この種の椅子として、従来より背もたれ部に指圧突起を設けたものが考えられている。このものは、背もたれ部の所定箇所に指圧突起を固定して設け、これにより着座した人の背中の経絡等を指圧してマッサージ効果を奏させることができるようにしている。
【０００３】
【発明が解決しようとする課題】
ところが、かかる従来のものは、指圧箇所が常に一定であり、その日の体調への対応、個人差への対応が困難であるという不具合がある。これを解消するために、背もたれ部のいたる所に指圧突起を設けておくことも考えられるが、このようにすると指圧力が分散されて、マッサージ効果が激減することとなってしまう。
【０００４】
【課題を解決するための手段】
かかる問題点を解決するために、本発明は、背もたれ部に指圧突起を、容易に位置変更できるような態様で設けることとしている。
【０００５】
【発明の実施の形態】
すなわち、本発明の椅子は、背もたれ部の複数箇所に孔を設け、これらの孔の何れかを選択して、指圧突起を、該背もたれ部の前面側から着脱可能に装着し得るように構成しているものであって、背もたれ部の平断面が、中央部から左右両縁に向かって前方に湾曲した形状をなすものであり、その背もたれ部に設ける孔に、前後方向を略型抜き方向とするときに抜きテーパとなるようなテーパ面を形成していることを特徴とする。
このような構成のものであると、たとえ着座した姿勢からでも、指圧突起を背もたれ部に設けてある孔の随意の箇所に装着し、或いは付け替えることができるので、指圧力を分散させることなく、体調への対応、個人差への対応を容易かつ効果的に行うことが可能となる。特に、その孔を貫通孔としておけば、背もたれ部の使用中に良好な通気性を確保することができる。
さらに、背もたれ部の平断面が、中央部から左右両縁に向かって前方に湾曲した形状をなすものであり、その背もたれ部に設ける孔に、前後方向を略型抜き方向とするときに抜きテーパとなるようなテーパ面を形成しているので、成形によって簡単に孔を形成でき、且つ指圧突起を背もたれ部に直交させて取り付けることができるようにすることができる。
【０００６】
具体的な実施の態様としては、指圧突起の付け根側に設けた軸部を、背もたれ部の孔の内縁に接触或いは近接させて挿入するようにしているものが挙げられる。
【０００７】
この場合、背もたれ部の良好な外観を確保するためには、各孔に対して、テーパ面を背もたれ部の前面側及び後面側に設け、そのテーパ面の境界部を背もたれ部の肉厚方向の略中央位置に設定していることが好適である。
指圧突起の装着に確実性を期すためには、指圧突起の付け根側の軸部に、背もたれ部の孔に係わり合って抜け止めされる関連部を設けていることが望ましい。
【０００８】
指圧突起の装着状態で椅子の外観を損なわず、また使用していない指圧突起を直ぐに使える場所に退避させておくためには、指圧突起の軸部の長さが、背もたれ部の肉厚寸法以下に設定されていることが好都合である。
指圧突起の装着位置を微調節できるようにするためには、該指圧突起の付け根側の軸部を、指圧突起の突起部の中心に対して偏心させていることが望ましい。
【０００９】
この場合、調節を的確に行い得るようにするためには、指圧突起の先端側の突起部に、偏心位置を示す表示部を設けていることが効果的である。
また、指圧突起の突出量を簡単に変更できるようにするためには、該指圧突起の先端側の突起部に、より突出した突起を形成するキャップを着脱可能に取り付け得るようにしていることが有効である。
【００１０】
また、本発明の他の椅子は、背もたれ部の複数箇所に孔を設け、これらの孔の何れかを選択して、指圧突起を、該背もたれ部の前面側から着脱可能に装着し得るように構成しているものであって、指圧突起の付け根側の軸部を、指圧突起の突起部の中心に対して偏心させ、指圧突起の先端側の突起部に、偏心位置を示す表示部を設けているとともに、指圧突起の先端側の突起部に、より突出した突起を形成するキャップを着脱可能に取り付け得るようにし、キャップが透明のものであることを特徴とする。このようなものであれば、該指圧突起の付け根側の軸部を、指圧突起の突起部の中心に対して偏心させているので指圧突起の装着位置を微調節でき、指圧突起の先端側の突起部に、偏心位置を示す表示部を設けているので微調節操作を表示部を頼りにして的確に行い得るとともに、指圧突起の先端側の突起部に、より突出した突起を形成する透明のキャップを着脱可能に取り付け得るようにしているので、指圧突起の突出量を簡単に変更できるようにしつつ、前記表示部をの表示部機能を維持できる。
【００１１】
【実施例】
以下、本発明の一実施例を、図１〜図７を参照して説明する。
図１及び図２に示す椅子は、脚羽根１の中央に設けた支柱２の上端部に座受３を介して座４を支持させ、その座４の側方に肘掛け５を、また後方に背もたれ部６を、それぞれ配置して構成されるものである。
【００１２】
そして、背もたれ部６の複数箇所に肉厚方向に貫通する孔６１を設け、これらの孔６１の何れかを選択して、指圧突起７を、該背もたれ部６の前面側から着脱可能に装着し得るようにしている。
具体的に説明すると、背もたれ部６は、図１〜図３に示すような板状のもので、その縦断面が背座境界部から若干高い位置までほぼ真っ直ぐに立ち上がる第１領域６Ａと、この第１領域６Ａからほぼ一定角度で後傾する第２領域６Ｂとからなり、平断面は背中を包み込むように中央から左右縁部に向かって次第に前方へ迫り出すような湾曲形状をなすものである。そして、第２領域６Ｂと第１領域６Ａの一部とに亘って上下方向に一定ピッチ（本実施例では４０ｍｍピッチ）で７個の孔６１を設けることとし、これを一列として、その列を背骨が当たる位置を避けて左右にそれぞれ３列づつ形成している。各孔６１の内側には、図３〜図５に断面で示すように、前面側及び背面側から肉厚方向の中央に向かって漸次孔径が狭まるテーパ面６１ａが形成されているとともに、その肉厚方向中央部に、最も孔径の小さいテーパの境界すなわちパーティングライン６１ｂが形成されている。これらのテーパ面６１ａは、図４に矢印で示すように前後方向に型抜きを行うときの抜きテーパとなるものである。つまり、背もたれ部６の左右両縁に最も近い位置にある孔６１のテーパ面６１ａのうち、外側のテーパ面６１ａが、少なくとも型抜き方向と平行か、若しくはそれよりも外側（背もたれ６の縁部側）に開いていることによって、かかる抜きテーパとしての機能が営まれるものである。
【００１３】
一方、指圧突起７は、ポリプロピレンやエラストマ等の樹脂一体成形によって、先端側の突起部７１と付け根側の軸部７２とを形成したもので、先端側の突起部７１は直径φ１が略３０ｍｍ程度の概略半球状をなし、付け根側の軸部７２は一定径の円柱状をなしている。この軸部７２の径は、若干の弾性変形を起こすことによって背もたれ部６の孔６１の内周（特にパーティングライン６１ｂ）に接触した状態で挿入されるような値に設定されている。また、この指圧突起７の軸部７２の長さｄ１は、背もたれ部６の肉厚寸法ｄ２以下に設定されており、装着状態で指圧突起７の軸部７２の端面が背もたれ部６の孔６１を貫通して背面側にまで突出することがないようにしている。
【００１４】
更に、この指圧突起７の成形時に、付け根側の軸部７２は先端側の突起部７１の中心に対して所定距離δだけ偏心させてあり、その軸部７２をどの回転位相で装着するかによって、図６に示すように指圧突起７の配置を半径δの範囲で全方向へ微調節することができるようにしている。その回転位相は、装着後に指圧突起を摘んで回転させることによっても変えることができるものである。
【００１５】
加えて、前記指圧突起７の成形時に、軸部７２の延長線上における先端側の突起部７１の表面には、表示部たる凹部７１ａが設けてあり、この凹部７１ａによって偏心方向が確認できるようになっている。また、この指圧突起７の先端側の突起部７１に対して、図５に示すようにより突出した突起を形成するキャップ８を着脱可能に取り付け得るようにしている。このキャップ８は、前記指圧突起７の突起部７１の径に対応させて内側に概略半球状の凹部８１を設けてなる透明の樹脂成形体で、外径は前記指圧突起７の突起部７１のそれよりも一回り大きい寸法、例えばその直径φ２は略４０ｍｍ程度に設定されていて、指圧突起７の突起部７１に、より突出した突起を形成することができるようにしている。
【００１６】
なお、図１及び図２において符号９で示すものは、必要に応じて使用されるカバーである。このカバー９は、下端側に開口を有する袋状のもので、背もたれ部６に上方から被せ、背もたれ部の下端近傍に設けてある孔６２を利用する等して固定できるようにしている。なお、この孔６２は背座境界近くにあって人体の接触の望み難いところであるため、本実施例においてこの孔６２には指圧突起６１は装着されない。
【００１７】
以上のように構成される本実施例の椅子は、図２のほか図７にも例示するように、背もたれ部６の複数箇所に設けた孔６１の何れかを選択して、指圧突起７を、該背もたれ部６の前面側から一又は複数個、着脱可能に装着することができるものである。
このため、起立した姿勢においては勿論のこと、たとえ着座した姿勢からでも、指圧突起７を背もたれ部６に設けてある孔６１の随意の箇所に装着し、或いは簡単に抜いて付け替えることができ、指圧力を分散させることなく、体調への対応、個人差への対応を容易かつ効果的に行うことを可能にして、極めて高いマッサージ効果を期待することができる。また、その孔６１は貫通孔であるため、使用中にも良好な通気性を確保することができる。
【００１８】
特に、指圧突起７の付け根側に設けた軸部７２を、背もたれ部６の孔６１の内縁に若干接触した状態で挿入するようにしているため、着脱操作が容易であり、また主として後傾した第２領域６Ｂに形成されている孔６１に重力を利用して装着することができるため、装着状態も安定なものにすることができる。
また、本実施例の椅子の背もたれ部６は、その平断面が中央から左右両縁に向かって前方に緩やかに湾曲した形状をなすものであるが、その背もたれ部６に設ける孔６１に、前後方向を型抜き方向とする際に抜きテーパとなるようなテーパ面６１ａを形成しているため、簡単に成形しても、それらのテーパ面６１ａは背もたれ部６のどこでもその湾曲面に直交する方向つまり肉厚方向に成形することができ、指圧突起７をどこに装着してもその突起部７１を背中に有効に対向させることができる。すなわち、孔が単に一定径の貫通孔であると、その孔は全て抜き方向に平行でなければならず、背もたれ部６の湾曲面に直交する孔とはなり得ない。このため、指圧突起７を装着した場合、その突起部７１は全て前方を向き、左右縁部に近い位置ほど背中を向かない姿勢となり易い。これに対して、本実施例によれば、全ての孔６１の位置で突起部７１を背中の随所を有効に指圧し得る姿勢で配設することが可能となる。
【００１９】
この場合、各孔６１に対してテーパ面６１ａを背もたれ部６の前面側及び後面側に設け、そのテーパ面６１ａのパーティングライン６１ｂを背もたれ部６の肉厚方向の略中央位置に設定しているため、外部から見るとどの位置でも孔６１が肉厚方向に直交して開いていることが明確に視認でき、背もたれ部６の外観を良好なものにすることができる。特に、このようなテーパ面６１ａであれば、開口は比較的大きく、指圧突起７の軸部７２を簡単に挿入できるとともに、次第に深く挿入するにつれて軸部７２が所定位置に誘導されるというガイド作用も営まれるものとなる。
【００２０】
更に、指圧突起７の軸部７２の長さが、背もたれ部６の肉厚寸法以下に設定されているため、指圧突起７の装着状態でその軸部７２が背もたれ部６の背面側に突出して椅子の外観を損なうことがなく、また使用していない指圧突起７を背もたれ部６の孔６１に図３に想像線で示すように背面側から装着して退避させても、その軸部７２が前面側に突出して使用感を損ねるという不都合を回避することができる。
【００２１】
加えて、本実施例の指圧突起７は、その軸部７２を、突起部７１の中心に対して偏心させているため、装着時の回転位相を通じて指圧突起７の装着位置を微調節することができ、マッサージ効果を体調や個人差に応じてより的確に奏させることができる。
この場合、突起部７１に、偏心位置を示す表示部たる凹部７１ａを設けているため、どの向きに偏心しているかを使用者に把握し易くして調節を手探りに頼らない的確なものにすることができる。
【００２２】
また、その突起部７１には、必要に応じてより突出した突起を形成するキャップ８を着脱可能に取り付け得るようにしているため、背もたれ部６からの突出量を大きくしてマッサージ効果を上げたいときに簡単に対応できるものとなる。この実施例では、背もたれ部６からの突出量を約１５ｍｍから約２０ｍｍにまで嵩上げすることが可能である。
【００２３】
この場合、キャップ８を透明のものにしているため、キャップ８が装着した状態にあることや、指圧突起７の偏心方向を示す凹部７１ａの位置なども、使用者に明確に了知させることができる。
更にまた、本実施例における背もたれ部６の孔６１は、背骨が当たる中央位置を避けた左右両側位置に上下方向の列をなして設けてあるため、背中の経絡に沿った指圧等を有効に行うことができる。
【００２４】
なお、各部の具体的な構成は、図示実施例のものに限定されるものではない。例えば、図８に示す指圧突起１０７のように、突起部１７１に対して軸部１７２が偏心していないものを用いることもできる。また、図９に示す指圧突起２０７のように、軸部２７２に、最も細径なパーティングライン６１ｂの孔径よりも大きく背もたれ部６の孔６１に弾性により係わり合って抜け止めされる関連部２７２ａを設けておくと、装着状態をより確実なものにすることができる。このような構成は、指圧突起２０７を背もたれ部６の前面側に配設するときの確実性を高めることができるのは勿論のこと、背面側に装着して退避させておく際にも脱落を有効に防止することができるものである。更に、図１０に示すように、背もたれ部３０６に設けられる孔３６１は単に背もたれ部３０６の前後何れかの面から他方の面に向かってテーパ状をなしているだけであっても、型抜きをする際の抜きテーパとして利用することが可能である。
【００２５】
その他の具体的な構成も、本発明の趣旨を逸脱しない範囲で種々変形が可能である。
【００２６】
【発明の効果】
本発明は、以上説明したような形態で実施され、以下に記載される効果を奏する。
すなわち、本発明の椅子は、本発明の椅子は、背もたれ部の複数箇所に孔を設け、これらの孔の何れかを選択して、指圧突起を、該背もたれ部の前面側から着脱可能に装着し得るように構成しているものであって、背もたれ部の平断面が、中央部から左右両縁に向かって前方に湾曲した形状をなすものであり、その背もたれ部に設ける孔に、前後方向を略型抜き方向とするときに抜きテーパとなるようなテーパ面を形成したものである。
【００２７】
このため、着座姿勢からでも簡単な操作で、体調や体格差に応じた位置に的確に指圧突起を装着して使用することができ、使用者に極めて有効なマッサージ効果を与えて健康の保持、増進に役立つ椅子としての利用が可能になる。特に、その孔を貫通孔としておけば、背もたれ部を使用中に良好な通気性を確保することができる。また、背もたれ部の平断面が湾曲しているとともに、その背もたれ部に設ける孔に抜きテーパとなるテーパ面を形成しているので、型を用いて成形しても、何れの孔に対しても背もたれ部の湾曲面に直交する方向から指圧突起を挿入してその突起部を背中に有効に対向させ、背中の随所に対して的確なマッサージを行うことが可能となる。
【００２８】
指圧突起の付け根側の軸部を、背もたれ部の孔の内縁に接触或いは近接させて挿入するようにしておけば、着座姿勢で手を後ろに回しても操作できる程度の極めて簡易な操作性を確保することができる。
【００２９】
この場合、各孔に対して、テーパ面を背もたれ部の前後両面側に設け、テーパ面の境界部を背もたれ部の肉厚方向の略中央位置に設定しておけば、各孔が背もたれの面と直交する方向に開いていることが視認でき、その統一性がゆえに椅子の外観向上に貢献し得るものとなる。
指圧突起の付け根側の軸部に、背もたれ部の孔に係わり合って抜け止めされる関連部を設けておけば、背中を擦り付ける等して使用者が動いたような場合にも装着状態を的確に保持しておくことができ、また不使用時に指圧突起を背もたれ部の背面側から孔に装着して退避させている場合にも脱落を有効に防止することができる。
【００３０】
指圧突起の軸部の長さを、背もたれ部の肉厚寸法以下に設定した場合には、指圧突起を背もたれ部の前後何れの側から孔に装着しても、使用感や見栄えの低下を有効に防止することが可能となる。
指圧突起の軸部を、突起部の中心に対して偏心させておけば、装着時の回転位相によって指圧突起の装着位置を微調節することができ、体調や個人差に応じたより的確な利用の態様が実現可能となる。
【００３１】
この場合に、指圧突起の先端側の突起部に偏心位置を示す表示部を設けておけば、かかる微調節操作を表示部を頼りにして的確に行うことが可能となる。
指圧突起の突起部に、キャップを着脱可能に取り付け得るようにしておけば、突出量を増大させることによってより強い指圧力、より高いマッサージ効果を容易に得ることができる。
【００３２】
特に、このキャップを透明とした場合には、指圧突起の突起部に表示部が設けてある場合に、キャップを被せても表示部の表示機能を確保することができる。
背もたれ部の孔を、背骨が当たる位置を避けた左右両側位置に上下方向の列をなして設けた場合には、背中の経絡等に沿って有効な指圧を行うことが可能となる。
【図面の簡単な説明】
【図１】本発明の一実施例を示す斜視図。
【図２】同実施例の模式的な正面図。
【図３】同実施例の背もたれ部を一部拡大して示す縦断面図。
【図４】同平断面図。
【図５】同実施例における背もたれ部の孔及び指圧突起を拡大して示す断面図。
【図６】同正面図。
【図７】同実施例の使用状態を示す図２に対応した部分正面図。
【図８】本発明の他の実施例を示す図５に対応した断面図。
【図９】本発明の更に他の実施例を示す図５に対応した断面図。
【図１０】本発明の上記以外の実施例を示す断面図。
【符号の説明】
６…背もたれ部
７、１０７、２０７…指圧突起
８…キャップ
６１…孔
６１ａ…テーパ面
７１、１７１…突起部
７１ａ…表示部（凹部）
７２、１７２、２７２…軸部
２７２ａ…関連部
【図１】
0003761135.tif 000002
【図２】
0003761135.tif 000003
【図３】
0003761135.tif 000004
【図４】
0003761135.tif 000005
【図５】
0003761135.tif 000006
【図６】
0003761135.tif 000007
【図７】
0003761135.tif 000008
【図８】
0003761135.tif 000009
【図９】
0003761135.tif 000010
【図１０】
0003761135.tif 000011